(57)【要約】【課題】放送受信装置において、コネクタを介して接続された機器の充電時間の短縮を図り、ユーザの使い勝手を向上する。【解決手段】放送受信装置は、コネクタと、コネクタを介して接続された機器に対する動作モードとして通常モードあるいは充電モードを選択可能とする手段と、充電モードにおける充電電流の最大許容電流値を、通常モードにおける充電電流の最大許容電流値よりも高い値に設定して機器に供給する制御手段と、を備えた。【選択図】図４
2012244847.tif 000002
【特許請求の範囲】
【請求項１】
コネクタと、
前記コネクタを介して接続された機器に対する動作モードとして通常モードあるいは充電モードを選択可能とする手段と、
前記充電モードにおける充電電流の最大許容電流値を、前記通常モードにおける充電電流の最大許容電流値よりも高い値に設定して前記機器に供給する制御手段と、
を備えた放送受信装置。
【請求項２】
ユーザの指示に基づいて前記通常モードあるいは前記充電モードに前記動作モードを設定する動作モード設定手段を備えた請求項１記載の放送受信装置。
【請求項３】
前記コネクタに前記機器が接続されたことを検出する検出手段と、
前記検出手段にて前記コネクタが検出されたことに基づいて、表示装置に前記ユーザの指示を促す動作モード設定画面を表示するよう制御する表示制御手段と、
を備えた請求項２記載の放送受信装置。
【請求項４】
前記機器に対する充電が完了したことを検出する充電完了検出手段を備え、
前記表示制御手段は、前記充電完了検出手段により、充電の完了が検出された場合に、充電が完了した旨を表示装置に表示するよう制御する、
請求項２記載の放送受信装置。
【請求項５】
外部電源から供給された電力を蓄え、電力を供給する蓄電手段を備え、
前記制御手段は、前記蓄電手段から電力供給がなされている場合に、前記充電モードにおける動作を禁止する、
請求項１乃至請求項４のいずれかに記載の放送受信装置。
【請求項６】
前記ユーザの指示が入力される入力手段を備えた請求項２乃至請求項４記載の放送受信装置。
【請求項７】
前記機器が前記充電モードに対応した機器であるか否かを判別する判別手段と、
前記判別に基づいて、前記コネクタに接続された前記機器が前記充電モードに対応した機器である場合には、前記動作モードを前記充電モードに設定する動作モード設定手段と、
を備えた請求項１記載の放送受信装置。
【請求項８】
前記機器が前記充電モードに対応した機器であるか否かを判別する判別手段と、
前記判別に基づいて、前記コネクタに接続された前記機器が前記充電モードに対応しない機器である場合には、前記動作モードを前記通常モードに設定する動作モード設定手段と、
を備えた請求項１記載の放送受信装置。
【請求項９】
コネクタを備えた放送受信装置で実行される放送受信装置の制御方法において、
前記コネクタを介して接続された機器に対する動作モードとして通常モードあるいは充電モードを選択可能とされ、
前記動作モードとして前記充電モードが選択れているか否かを判別する過程と、
前記動作モードとして前記充電モードが選択されている場合に、当該充電モードにおける充電電流の最大許容電流値を、前記通常モードにおける充電電流の最大許容電流値よりも高い値に設定して前記機器に充電電流を供給して充電を行う過程と、
を備えた放送受信装置の制御方法。
【発明の詳細な説明】
【技術分野】
【０００１】
本発明の実施形態は、放送受信装置及び放送受信装置の制御方法に関する。
【背景技術】
【０００２】
従来、放送受信装置においては、ＵＳＢメモリなどに格納された写真データ等に基づいて写真を表示画面に表示するなどの用途のために、ＵＳＢコネクタが設けられ、このＵＳＢコネクタにＵＳＢ端子を有する充電アダプタを介して携帯電話機を接続し、放送受信装置のＵＳＢコネクタから電力を供給して、携帯電話機を充電するものが提案されている（例えば特許文献１参照）。
【先行技術文献】
【特許文献】
【０００３】
【特許文献１】特開２００８−２９４４９５号公報
【発明の概要】
【発明が解決しようとする課題】
【０００４】
ところで、ＵＳＢコネクタを介した充電は、ＵＳＢコネクタにおける最大電流許容値の制限から、たとえ充電を行ったとしても、充電時間が長くなり、使い勝手がよくなかった。また、他のコネクタにおいても、最大電流許容値の制限から同様の問題点が生じていた。
【０００５】
本発明は、上記に鑑みてなされたものであって、充電時間の短縮を図り、ユーザの使い勝手を向上することが可能な放送受信装置及び放送受信装置の制御方法を提供することを目的としている。
【課題を解決するための手段】
【０００６】
コネクタを備えた実施形態の放送受信装置は、コネクタを介して接続された機器に対する動作モードとして通常モードあるいは充電モードを選択可能とされている。
そして、制御手段は、充電モードにおける充電電流の最大許容電流値を、通常モードにおける充電電流の最大許容電流値よりも高い値に設定して機器に供給する。
【図面の簡単な説明】
【０００７】
【図１】図１は、第１実施形態の概要構成図である。
【図２】図２は、ＵＳＢインタフェース及びＵＳＢコネクタの具体的構成の説明図である。
【図３】図３は、第１実施形態の処理フローチャートである。
【図４】図４は、ＵＳＢモード設定操作画面の表示例の説明図である。
【図５】図５は、ＵＳＢ動作モード設定後の処理フローチャートである。
【図６】図６は、充電モードにおける充電完了検出の説明図である。
【図７】図７は、充電完了表示画面の一例の説明図である。
【図８】図８は、第２実施形態におけるＵＳＢ動作モード設定後の処理フローチャートである。
【発明を実施するための形態】
【０００８】
次に図面を参照して実施形態について詳細に説明する。
[１]第１実施形態
図１は、第１実施形態の概要構成図である。
放送受信装置としてのディジタルテレビジョン１１は、図１に示すように、入力側に放送波受信用のアンテナ２１が接続され、また、ディジタルテレビジョン１１は、外部の表示装置や音声出力装置に直接に、ユーザは、ディジタルテレビジョン１１に設けられた操作部３５を介して本装置の操作を行える他、赤外線通信によるリモートコントローラ１１Ｒを介した操作が可能である。
【０００９】
ディジタルテレビジョン１１は、受信したディジタルテレビジョン放送信号をデコードすることにより放送番組を表示し、ユーザは受信した放送番組を視聴できるようになっている。また、外部の表示装置や音声出力装置を利用して放送番組を視聴できるようにもなっており、受信した放送番組を記録することも可能である。
【００１０】
なお、図１に示すディジタルテレビジョン１１は、放送波受信用に複数のチューナ等の受信回路を備える構成としてもよい。
地上波放送受信用のアンテナ２１で受信した地上ディジタルテレビジョン放送信号は、入力端子２２を介して地上ディジタル放送用のチューナ２３に供給される。
【００１１】
チューナ２３は、処理部２５からの制御信号により所望のチャネルの放送信号を選局し、この選局された放送信号を復調器２４ａに出力する。
復調器２４ａは、処理部２５からの制御信号により、チューナ２３で選局された放送信号を復調し、所望の番組を含んだトランスポートストリームを得て、復号器２４ｂに出力する。
【００１２】
復号器２４ｂは、処理部２５からの制御信号によりトランスポートストリーム（ＴＳ）多重化された信号のＴＳ復号処理を行い、所望の番組のディジタルの映像信号及び音声信号をデパケットすることにより得たＰＥＳ（Packetized  Elementary  Stream）を信号処理部２６内のＳＴＤバッファへ出力する。また、復号器２４ｂは、ディジタル放送により送られているセクション情報を信号処理部２６内のセクション部２６ｂへ出力する。
ここで、信号処理部２６は、デコーダ２６ａとセクション部２６ｂとを備え、入力された信号の処理を行う。
【００１３】
デコーダ２６ａは、テレビ視聴時には、復号器２４ｂから供給されたディジタルの映像信号及び音声信号に対して、選択的に所定のディジタル信号処理を施し、グラフィック処理部２７及び音声処理部２８に出力する。一方、番組録画時には、復号器２４ｂから供給されたディジタルの映像信号及び音声信号に対して、選択的に所定のディジタル信号処理を施した信号を、処理部２５を介して記録装置（例えば、ＨＤＤ）４１に記録する。
【００１４】
また、デコーダ２６ａは、録画番組再生時には、処理部２５を介して記録装置（例えば、ＨＤＤ）４１から読み出された録画番組のデータに、所定のディジタル信号処理を施し、グラフィック処理部２７及び音声処理部２８に出力している。
【００１５】
さらに、デコーダ２６ａは、外部機器の表示画面表示時には、ディジタルテレビジョン１１に接続された外部機器から処理部２５を介して受信したデータに、所定のディジタル信号処理を施し、グラフィック処理部２７及び音声処理部２８に出力している。
【００１６】
処理部２５には、信号処理部２６から、番組を取得するための各種データ（Ｂ−ＣＡＳデスクランブル用の鍵情報等）や電子番組ガイド（ＥＰＧ）情報、番組属性情報（番組ジャンル等）、字幕情報等（サービス情報、ＳＩやＰＳＩ）が入力されている。処理部２５は、これら入力された情報からＥＰＧ、字幕を表示するため画像生成処理を行い、この生成した画像情報をグラフィック処理部２７へ出力する。
【００１７】
また、この処理部２５は、番組録画及び番組予約録画を制御する機能を有する。番組予約受付時には、表示装置３１が有する液晶ディスプレイ上に電子番組ガイド（ＥＰＧ）情報を表示し、操作部３５またはリモートコントローラ１１Ｒを介したユーザ入力により予約内容を所定の記憶手段に設定する。そして、設定された時刻に予約番組を録画するようチューナ２３、復調器２４ａ、復号器２４ｂ及び信号処理部２６を制御する。
【００１８】
セクション部２６ｂは、復号器２４ｂから入力されたセクション情報の中から、番組を取得するための各種データや電子番組ガイド（ＥＰＧ）情報，番組属性情報（番組ジャンル等），字幕情報等（サービス情報、ＳＩやＰＳＩ）を処理部２５へ出力する。
【００１９】
グラフィック処理部２７は、信号処理部２６内のデコーダ２６ａから供給されるディジタルの映像信号と、ＯＳＤ（On  Screen  Display）信号生成部２９で生成されるＯＳＤ信号と、データ放送による画像データと、処理部２５により生成されたＥＰＧ，字幕信号とを合成して映像処理部３０へ出力する機能を有する。また、字幕放送による字幕を表示するとき、グラフィック処理部２７は、処理部２５からの制御による字幕情報に基づき、映像信号上に字幕情報を重畳する処理を行う。
【００２０】
グラフィック処理部２７から出力されたディジタルの映像信号は、映像処理部３０に供給される。この映像処理部３０は、入力されたディジタルの映像信号を、液晶ディスプレイ等で構成される表示装置３１で表示可能なアナログ映像信号に変換した後、表示装置３１に出力して、表示装置３１の表示画面上に映像表示させる。また、出力端子３２を介して外部の表示装置（図示せず）に、当該外部の表示装置で表示可能なフォーマットの映像信号を出力して映像表示させることもできる。
【００２１】
また、音声処理部２８は、入力されたディジタルの音声信号を、音声出力装置３３で再生可能なアナログ音声信号に変換した後、音声出力装置３３に出力して音声を再生させる。また、出力端子３４を介して外部の音声出力装置（図示せず）に、当該音声出力装置で再生可能なフォーマットの音声信号を出力して音声再生させることもできる。
【００２２】
ここで、このディジタルテレビジョン１１は、各種の受信動作を含むその全ての動作を処理部２５によって制御されている。この処理部２５のコントローラ２５ｄは、マイクロプロセッサとして構成されており、操作部３５からの操作情報を受け、または、リモートコントローラ１１Ｒから送出された操作情報を受光部３６を介して受信し、その操作内容（例えば、楽曲情報問い合わせ操作、チャネル切換操作等）が反映されるように各部をそれぞれ制御している。
【００２３】
この場合において、コントローラ２５ｄは、制御プログラムを格納したＲＯＭ（Read  Only  Memory）２５ａと、作業エリアを提供するＲＡＭ（Random  Access  Memory）２５ｂと、各種の設定情報、制御情報及び番組情報等が更新可能かつ不揮発的に格納されるフラッシュメモリ等の不揮発性メモリ２５ｃとを利用している。
【００２４】
また、処理部２５は、Ｗｉ−Ｆｉ通信Ｉ／Ｆ３７を介して無線ＬＡＮ通信ユニット３８に接続されている。これにより、処理部２５は、無線ＬＡＮ通信ユニット３８に、無線通信回線を介して接続された無線ＬＡＮ対応の機器と、Ｗｉ−Ｆｉ通信Ｉ／Ｆ３７を介して通信を行うことができる。
【００２５】
また、処理部２５は、ＬＡＮ  Ｉ／Ｆ３９を介して有線ＬＡＮ端子４０に接続されている。これにより、処理部２５は、有線ＬＡＮ端子４０とEthernet（登録商標）規格の有線ネットワークで接続された各種機器と、ＬＡＮ  Ｉ／Ｆ３９を介して情報伝送することができる。
メモリカードリーダ／ライタ（Ｒ／Ｗ）４２は、ＩＣメモリカードＭＣからの各種データの読み込み及びＩＣメモリカードＭＣへの各種データの書き込みを行う。
ＵＳＢインタフェース（Ｉ／Ｆ）４３は、外部のＵＳＢ対応機器、図１では、携帯機器ＭＥにＵＳＢ接続ケーブルＣＢ及びＵＳＢコネクタ４４を介して接続され、処理部２５のコントローラ２５ｄの制御下で、携帯機器ＭＥとデータ通信を行ったり、携帯機器ＭＥを充電したりする。充電時の動作については、後に詳述する。
【００２６】
図２は、ＵＳＢインタフェース及びＵＳＢコネクタの具体的構成の説明図である。
ここで、ＵＳＢインタフェース４３と、コントローラ２５ｄとの間の信号としては、データ通信を行うためのデータ通信信号ＳＵＳＢ（入出力）と、ＵＳＢモードを通常モードあるいは充電モードに設定するためのＵＳＢモード設定信号ＳＭＤ（入力）と、ＵＳＢコネクタ４４に接続された携帯機器ＭＥの充電が完了した場合に充電完了信号ＳＣＥ（出力）と、がある。
データ通信信号ＳＵＳＢは、充電機器の接続及び接続機器の種別を検出するための充電機器検出回路４３Ａを介してＵＳＢコネクタ４４のＤ＋端子ＴＤＰ及びＤ−端子ＴＤＮに接続されている。
【００２７】
ＵＳＢモード設定信号ＳＭＤは、充電機器検出回路４３Ａ及び実際に携帯機器ＭＥに供給される充電電流を検出する電流検出回路４３Ｂに供給される。これにより充電機器検出回路４３Ａは、ＵＳＢ動作モードが充電モードである場合に、Ｄ＋端子ＴＤＰ及びＤ−端子ＴＤＮを介して、問い合わせ信号を出力し、接続されている携帯機器ＭＥが充電モードに対応する機器であるか否かを判別して、データ通信信号ＳＵＳＢにより処理部２５に通知する。一方、電流検出回路４３Ｂは、高電位側電源端子ＴＶＢ及び低電位側電源端子ＴＧＤを介して、充電電流を監視し、実際の充電電流値を検出し、後述するように充電電流値の変化に基づいて、充電が完了したか否かを判別し、ＵＳＢコネクタ４４に接続された携帯機器ＭＥの充電が完了した場合に充電完了信号ＳＣＥを処理部２５に出力することとなる。
【００２８】
次に第１実施形態の動作について説明する。
以下の説明においては、ユーザは、入力手段として機能するリモートコントローラ１１Ｒにより操作を行うものとする。
【００２９】
図３は、第１実施形態の処理フローチャートである。
処理部２５のコントローラ２５ｄは、受光部３６を介して、リモートコントローラ１１Ｒの操作がなされたことを検出すると、当該操作がＵＳＢ動作モードを設定するＵＳＢモード設定操作であるか否かを判別する（ステップＳ１１）。
ステップＳ１１の判別において、リモートコントローラ１１Ｒの操作がＵＳＢ動作モードを設定するＵＳＢモード設定操作以外の操作である場合には（ステップＳ１１；Ｎｏ）、コントローラ２５ｄは、当該他の操作に対応する他モードの処理を行い（ステップＳ１６）、処理を終了する。
【００３０】
図４は、ＵＳＢモード設定操作画面の表示例の説明図である。
ステップＳ１１の判別において、リモートコントローラ１１Ｒの操作がＵＳＢ動作モードを設定するＵＳＢモード設定操作である場合には（ステップＳ１１；Ｙｅｓ）、図４に示すＵＳＢモード設定操作画面を表示装置３１の表示画面に表示する。
図４の例の場合、現在の操作がＵＳＢモード設定操作である場合に表示される、ＵＳＢモード設定操作メニューＭ１が表示され、当該メニューＭ１で選択可能な項目が通常モードであることを示す下位メニューＭ１１と、充電モードであることを示す下位メニューＭ１２が表示されている。
【００３１】
ここで、通常モードとは、ＵＳＢコネクタ４４を介して携帯機器ＭＥに供給される充電電流の最大許容電流値が、例えば、どのような機器が接続された場合でも対応可能な電流値（例えば、５００ｍＡ）となっているＵＳＢ動作モードである。また、充電モードとは、ＵＳＢコネクタ４４を介して接続された携帯機器ＭＥをより迅速に充電するために、充電電流の最大許容電流値が、当該充電モードに対応する機器が接続された場合には、通常モードにおける充電電流の最大許容電流値よりも高い最大許容電流値（例えば、１５００ｍＡ）に設定して高速充電を行わせるためのＵＳＢ動作モードである。例えば、図４の例の場合には、ユーザにより選択操作が行われ、現在選択されているＵＳＢ動作モードが充電モードであることを示している。
次にコントローラ２５ｄは、ユーザが現在選択しているＵＳＢ動作モードが通常モードあるいは充電モードのいずれであるかを判別する（ステップＳ１２）。
【００３２】
ステップＳ１２の判別において、ユーザが現在選択しているＵＳＢ動作モードが充電モードである場合には（ステップＳ１２；充電モード）、コントローラ２５ｄは、図４に網目模様で示すように、充電モード選択状態表示を行い（ステップＳ１３）、処理をステップＳ１５に移行する。
ステップＳ１２の判別において、ユーザが現在選択しているＵＳＢ動作モードが通常モードである場合には（ステップＳ１２；通常モード）、コントローラ２５ｄは、表示装置３１の表示画面に、通常モード選択状態表示を行う（ステップＳ１４）。
次にコントローラ２５ｄは、ユーザによりリモートコントローラ１１Ｒにおいて、ＵＳＢ動作モードを確定する確定操作がなされたか否かを判別する（ステップＳ１５）。
【００３３】
ステップＳ１５の判別において、確定操作がなされていない場合には（ステップＳ１５；Ｎｏ）、処理を再びステップＳ１２に移行し、以下、同様の処理を行う。
一方、ステップＳ１５の判別において、確定操作がなされた場合には（ステップＳ１５；Ｙｅｓ）、現在選択されているＵＳＢ動作モードに確定し、処理を終了する。
【００３４】
次にＵＳＢ動作モード設定後の動作について説明する。
図５は、ＵＳＢ動作モード設定後の処理フローチャートである。
まず、処理部２５のコントローラ２５ｄは、ＵＳＢインタフェース４３を介して、ＵＳＢコネクタ４４に携帯機器ＭＥが接続されているか否かを判別する（ステップＳ２１）。
ステップＳ２１の判別において、ＵＳＢコネクタ４４に携帯機器ＭＥが接続されていない場合には（ステップＳ２１；Ｎｏ）、コントローラ２５ｄは、待機状態となる。
【００３５】
ステップＳ２１の判別において、ＵＳＢコネクタ４４に携帯機器ＭＥが接続されている場合には（ステップＳ２１；Ｙｅｓ）、コントローラ２５ｄは、ＵＳＢ動作モードが通常モードあるいは充電モードのいずれであるかを判別する（ステップＳ２２）。
ステップＳ２２の判別において、ＵＳＢ動作モードが充電モードである場合には（ステップＳ２２；充電モード）、コントローラ２５ｄは、最大電流許容値を通常モードよりも高い値とし、本実施形態では１５００ｍＡとして（ステップＳ２３）、処理をステップＳ２５に移行する。
【００３６】
ステップＳ２２の判別において、ＵＳＢ動作モードが通常モードである場合には（ステップＳ２２；通常モード）、コントローラ２５ｄは、最大電流許容値を通常モードの値（本実施形態では５００ｍＡ）として（ステップＳ２４）、処理をステップＳ２５に移行する。
【００３７】
次にコントローラ２５ｄは、電流検出回路４３Ｂにより、充電電流の監視を行い（ステップＳ２５）、設定されているＵＳＢ動作モードに対応する最大電流許容値に制御しつつ、ＵＳＢコネクタ４４の高電位側電源端子ＴＶＢ及び低電位側電源端子ＴＧＤを介して、充電電流を携帯機器ＭＥに供給する。
続いて、コントローラ２５ｄは、電流検出回路４３Ｂにより、充電が完了したことが検出されて、充電完了信号ＳＣＥが入力されたか否かに基づいて充電が完了したか否かを判別する（ステップＳ２６）。
【００３８】
ここで、電流検出回路４３Ｂによる充電完了検出について説明する。
図６は、充電モードにおける充電完了検出の説明図である。
図６に示すように、時刻ｔ０において、携帯機器ＭＥがＵＳＢコネクタ４４に接続されると、コントローラ２５ｄは、ＵＳＢコネクタ４４の高電位側電源端子ＴＶＢ及び低電位側電源端子ＴＧＤを介して、初期電流量（本実施形態では１００ｍＡ）で電流の供給を開始する。
【００３９】
次に時刻ｔ１に至ると、コントローラ２５ｄは、充電を開始し、徐々に充電電流を増加させ、通常モードにおける最大電流許容値（＝５００ｍＡ）を超え、携帯機器ＭＥが受け入れ可能な充電電流値（図６では、約８５０ｍＡ）で充電を行う。
その後、時刻ｔ２に至り、充電電力量が所定値を超えると、携帯機器ＭＥにより徐々に充電電流値が低下され、充電が完了した場合には、その電流値は、所定の充電完了電流値（図６では、１００ｍＡ以下）となる。
【００４０】
そこで、電流検出回路４３Ｂは、時刻ｔ１において充電を開始してから、電流値が再び所定の充電完了電流値以下になった時刻ｔ３において、充電完了信号ＳＣＥを処理部２５に出力する。
したがって、ステップＳ２６の判別において、未だ充電が完了しておらず、電流検出回路４３Ｂから充電完了信号ＳＣＥが出力されていない場合には（ステップＳ２６；Ｎｏ）、コントローラ２５ｄは、再び処理をステップＳ２５に移行して同様の処理を行う。
【００４１】
一方、ステップＳ２６の判別において、充電が完了して、電流検出回路４３Ｂから充電完了信号ＳＣＥが出力された場合には（ステップＳ２６；Ｙｅｓ）、コントローラ２５ｄは、映像処理部３０を介して表示装置３１の表示画面に充電完了表示を行って処理を終了する（ステップＳ２７）。
図７は、充電完了表示画面の一例の説明図である。
この結果、表示装置３１には、図７に示すように、ユーザにその旨を通知する「充電が完了しました！」という表示を行って、携帯機器ＭＥの過充電がなされないように、携帯機器ＭＥをＵＳＢコネクタ４４から取り外すことをユーザに促すこととなる。
【００４２】
以上の説明のように、本第１実施形態によれば、ＵＳＢコネクタ４４を介して接続された携帯機器ＭＥに対するＵＳＢ動作モードとして通常モードあるいは充電モードを選択可能とされ、充電モードにおける充電電流の最大許容電流値を、通常モードにおける充電電流の最大許容電流値よりも高い値に設定して携帯機器ＭＥに供給するので、ディジタルテレビジョン１１のＵＳＢコネクタ４４に接続された携帯機器ＭＥの充電に要する時間を短縮して、ユーザの使い勝手を向上することが可能となる。
上記第１実施形態の説明においては、リモートコントローラ１１Ｒの操作により、ＵＳＢモード設定画面を表示する構成を採っていたが、ＵＳＢコネクタ４４に携帯機器ＭＥが接続された時点で、ＵＳＢモード設定画面を自動的に表示する構成とすることも可能である。
【００４３】
[２]第２実施形態
上記第１実施形態においては、ユーザがＵＳＢモード設定操作を行った場合に、ＵＳＢ動作モードの設定モードに移行する構成としていたが、本第２実施形態は、充電動作モードに対応する携帯機器ＭＥがＵＳＢコネクタ４４に接続されたか否かを自動的に判別して、充電動作モードに対応する携帯機器ＭＥがＵＳＢコネクタ４４に接続された場合に、自動的にＵＳＢ動作モードを充電モードに設定する場合の実施形態である。
【００４４】
図８は、第２実施形態におけるＵＳＢ動作モード設定後の処理フローチャートである。図８において、図５と同様の部分には、同一の符号を付し、その詳細な説明を援用する。
まず、処理部２５のコントローラ２５ｄは、ＵＳＢインタフェース４３を介して、ＵＳＢコネクタ４４に携帯機器ＭＥが接続されているか否かを判別する（ステップＳ２１）。
【００４５】
ステップＳ２１の判別において、ＵＳＢコネクタ４４に携帯機器ＭＥが接続されていない場合には（ステップＳ２１；Ｎｏ）、コントローラ２５ｄは、待機状態となる。
ステップＳ２１の判別において、ＵＳＢコネクタ４４に携帯機器ＭＥが接続されている場合には（ステップＳ２１；Ｙｅｓ）、コントローラ２５ｄは、接続されている携帯機器の種別、すなわち、充電モード対応機器あるいは充電モード非対応機器のいずれであるかを特定するために携帯機器判別処理を行う（ステップＳ３１）。
より具体的には、コントローラ２５ｄは、充電モード対応機器の場合には、Ｄ＋端子ＴＤＰに所定の電圧（例えば、０．５Ｖ〜０．７Ｖ）の電圧を印加する。
【００４６】
そして、コントローラ２５ｄは、携帯機器の種別を判別する（ステップＳ３２）。より具体的には、充電モード対応機器の場合には、上述したようにＤ＋端子ＴＤＰに所定の電圧を印加した場合に、携帯機器ＭＥによりＤ−端子ＴＤＮに所定の電圧（例えば、０．５Ｖ〜０．７Ｖ）の電圧が出力されるので、Ｄ−端子ＴＤＮに所定の電圧が出力されたか否かを判別する。
ステップＳ３２の判別において、接続されている携帯機器が充電モード対応機器である場合には（ステップＳ３２；充電モード対応機器）、コントローラ２５ｄは、最大電流許容値を通常モードよりも高い値とし、本実施形態では１５００ｍＡとして（ステップＳ２３）、処理をステップＳ２５に移行し、以下第１実施形態と同様の処理を行う。
【００４７】
ステップＳ３２の判別において、接続されている携帯機器が充電モード非対応機器である場合には（ステップＳ３１；充電モード非対応機器）、コントローラ２５ｄは、動作モードを通常モードに設定し（維持し）、最大電流許容値を通常モードの値（本実施形態では５００ｍＡ）として（ステップＳ２４）、処理をステップＳ２５に移行し、以下第１実施形態と同様の処理を行う。
【００４８】
以上の説明のように、本第２実施形態によれば、携帯機器ＭＥをＵＳＢコネクタ４４に接続するだけで、接続された携帯機器ＭＥが充電モード対応機器である場合には、ＵＳＢ動作モードを充電モードとして、充電電流の最大許容電流値を、通常モードにおける充電電流の最大許容電流値よりも高い値に設定して携帯機器ＭＥに供給するので、ディジタルテレビジョン１１のＵＳＢコネクタ４４に接続された携帯機器ＭＥの充電に要する時間を短縮して、ユーザの使い勝手をより向上することが可能となる。
【００４９】
以上の第２実施形態の説明においては、携帯機器ＭＥをＵＳＢコネクタ４４に接続した場合に、自動的に接続された携帯機器ＭＥが充電モード対応機器の種別を判別し、充電モード対応機器である場合には、自動的に充電モードに移行する構成を採っていたが、設定により、自動的な移行を禁止する構成とすることも可能である。
【００５０】
［３］実施形態の変形例
以上の説明においては、ディジタルテレビジョン（放送受信装置）の動作電源は、商用電力などの外部電源が接続されている場合を前提として説明したが、外部電源から供給された電力を蓄え、停電などの理由により外部電源から電力の供給がなされなくなった場合に、電力を供給する蓄電手段としてのバッテリを備え、制御手段としてのコントローラ２５ｄは、バッテリから電力供給がなされている場合には、ＵＳＢ動作モードを充電モードとすることを禁止し、通常動作モードで動作させることにより、バッテリによる動作可能時間の長期化を図るように構成することも可能である。
【００５１】
以上の説明においては、通常動作モードでの充電動作は、常に行われるものとして説明したが、電流検出回路４３Ｂと、ＵＳＢコネクタ４４の高電位側電源端子ＴＶＢ及び低電位側電源端子ＴＧＤとの間に、機械的スイッチあるいは電気的スイッチを介挿することにより、充電電流の供給を強制的に遮断する構成を採ることも可能である。
【００５２】
以上の説明においては、ＵＳＢインタフェース４３と、コントローラ２５ｄとの間の信号としては、データ通信を行うためのデータ通信信号ＳＵＳＢのやりとりを行うことが可能な構成としていたが、Ｄ＋端子ＴＤＰ及びＤ−端子ＴＤＮを非接続状態として、ＵＳＢコネクタ４４を介して充電のみを行うように構成することも可能である。
以上の説明においては、コネクタとしてＵＳＢコネクタを例として説明したが、同様に当該コネクタに接続された機器に充電用の電力供給及びデータ通信が可能な他の種類のコネクタについても同様に適用が可能である。
以上の説明においては、放送受信装置としてディジタルテレビジョンを例として説明したが、ディジタルテレビジョンチューナを有するレコーダ装置や、ケーブルテレビ放送や衛星放送、地上波テレビ放送（ディジタル放送あるいはアナログ放送）、ＩＰ（ブロードバンドＶＯＤ等）等の放送信号を受信して、一般のテレビ装置で視聴可能な信号に変換するいわゆるセットトップボックスであっても適用が可能である。
【００５３】
また、本実施形態の放送受信装置で実行される制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【００５４】
また、本実施形態の放送受信装置で実行される制御プログラムを、インターネット等のネットワークに接続されたコンピュータ上に格納し、ネットワーク経由でダウンロードさせることにより提供するように構成しても良い。また、本実施形態の放送受信装置で実行される制御プログラムをインターネット等のネットワーク経由で提供または配布するように構成しても良い。
また、本実施形態のデータ処理装置の制御プログラムを、ＲＯＭ等に予め組み込んで提供するように構成してもよい。
【００５５】
以上においては、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５６】
１１    ディジタルテレビジョン（放送受信装置）
１１Ｒ  リモートコントローラ
２５    処理部（動作モード設定手段）
２５ｄ  コントローラ（動作モード設定手段）
３１    表示装置
３５    操作部
４０    有線ＬＡＮ端子
４３    ＵＳＢ  Ｉ／Ｆ
４３Ａ  充電機器検出回路
４３Ｂ  電流検出回路
４４    ＵＳＢコネクタ
ＭＥ    携帯機器
【図１】
2012244847.tif 000003
【図２】
2012244847.tif 000004
【図３】
2012244847.tif 000005
【図４】
2012244847.tif 000006
【図５】
2012244847.tif 000007
【図６】
2012244847.tif 000008
【図７】
2012244847.tif 000009
【図８】
2012244847.tif 000010